(57)【要約】  シロキサンポリマー主鎖を有するポリマーおよびそれを含む組成物が提供される。ポリマーは、シロキサンポリマー主鎖内に環状不飽和基（Ｚ３）を含む。ポリマーは良好な熱伝導率を示すことが見出されており、さまざまな用途での有用性が見出され得る。【選択図】なし【特許請求の範囲】
【請求項１】
下記式のポリマーであって、
【化１】
2021518468.tif 000010
ここでＲ１−Ｒ１２は、水素、ヘテロ原子を任意に含むＣ１−Ｃ１０の一価炭化水素基、ヘテロ原子を任意に含むＣ６−Ｃ２０の一価芳香族基、およびヘテロ原子を任意に含むＣ４からＣ３０の一価飽和または不飽和シクロアルキル基、１から２０個のシリコン原子を含むシロキシ基、Ｚ１またはＺ２から独立して選択され；
Ｚ１およびＺ２は、水素、ヘテロ原子を任意に含むＣ１−Ｃ１０の炭化水素基、−ＯＨ、−ＮＨ２、−ＣＯＯＨ、またはＲ１６−Ａ−Ｒ１７−から独立して選択され、ここでＡは、芳香族基、官能化芳香族基、縮合芳香族基であってヘテロ原子を任意に含むもの、不飽和脂環式基、不飽和複素環基、またはそれらの２つ以上の組み合わせから選択される不飽和環状基を含む基から選択され；Ｒ１６およびＲ１７は、無し、ヘテロ原子を任意にて含むＣ１−Ｃ１０の炭化水素基、ヘテロ原子を任意にて含むＣ６−Ｃ２０の芳香族基、およびヘテロ原子を任意にて含むＣ４からＣ３０の飽和または不飽和シクロアルキル基から独立して選択され；
Ｚ３は、−Ｒ１９−Ａ−Ｒ１９−から選択され、ここでＡは、芳香族基、縮合芳香族基、不飽和脂環式基、不飽和複素環式基、またはそれらの２つ以上の組み合わせから選択される不飽和環状部分を含む基から選択され；そしてＲ１９は、無し、ヘテロ原子を任意にて含むＣ１−Ｃ１０の炭化水素基、ヘテロ原子を任意にて含むＣ６−Ｃ２０の芳香族基、およびヘテロ原子を任意にて含むＣ４からＣ３０の飽和または不飽和シクロアルキル基から選択され；
ｍは１−１００であり、ｘは０−２００であり、そしてｙは０−２００であり、ここでｘ＋ｙ≧１である、ポリマー。
【請求項２】
Ａは、Ｃ６からＣ１２の芳香族基、Ｃ１０−Ｃ３６の縮合芳香環基、Ｃ４−Ｃ３６の不飽和脂環式基、およびＣ４−Ｃ３６の不飽和複素環式基から独立して選択される、請求項１に記載のポリマー。
【請求項３】
Ｚ１、Ｚ２、およびＺ３の１つ以上におけるＡは、式−Ａ１−Ｒ１８−Ａ２−の基から選択され、ここでＡ１およびＡ２は、Ｃ６からＣ１２のアリール基、Ｃ１２−Ｃ３６の縮合芳香環基、Ｃ５−Ｃ３６の不飽和脂環式基、およびＣ５−Ｃ３６の不飽和複素環式基から独立して選択され、そしてＲ１８は、直接結合、−（ＣＨ２）ｎ−、−Ｃ（ＣＨ３）２−、−Ｏ−、−Ｓ−、−Ｓ（Ｏ）２−、−Ｃ（Ｏ）−、Ｃ（Ｏ）−ＮＨ−、−ＮＨ−Ｃ（Ｏ）−ＮＨ−、Ｃ（Ｏ）−Ｏ−、−ＣＨ＝Ｎ−、または−ＣＨ＝Ｎ−Ｎ＝ＣＨ−から選択され、ここでｎは１−１０である、請求項１に記載のポリマー。
【請求項４】
Ａは、（Ａ−ｉ）；（Ａ−ｉｉ）；
【化２】
2021518468.tif 000011
から独立して選択される、請求項３のポリマー。
【請求項５】
Ｚ１、Ｚ２、およびＺ３におけるＡは、
【化３】
2021518468.tif 000012
である、請求項１に記載のポリマー。
【請求項６】
Ｚ１、Ｚ２、およびＺ３におけるＡは、
【化４】
2021518468.tif 000013
である、請求項１に記載のポリマー。
【請求項７】
Ｚ１およびＺ２におけるＲ１６は、ＣＨ２＝ＣＨ２−（ＣＨ２）ａ−、ＣＨ２＝ＣＨ２−（ＣＨ２）ａ−Ｏ−から選択され、ここでａは０−１０であり、そしてＲ１７は、Ｃ２−Ｃ１０二価アルキル基、−Ｏ−（ＣＨ２）ｂ−、または−Ｏ−Ｃ（Ｏ）−（ＣＨ２）ｂ−から選択され、ここでｂは２−１０であり、そしてＺ３におけるＲ１９は、Ｒ１７から選択される、請求項１に記載のポリマー。
【請求項８】
約１０００ｇ／モルから約５００００ｇ／モルの数平均分子量を有する、請求項１から７のいずれか一項に記載のポリマー。
【請求項９】
請求項１から８のいずれか一項に記載のポリマーを含む、自動車製品、家庭用製品、塗料、コーティング、洗濯洗剤、繊維処理剤、石油またはガス製品、燃料電池、電子製品、農業製品、航空宇宙製品、医療またはヘルスケア製品、膜、建設製品、接着剤、シーラント、射出成形および圧縮成形可能なゴムまたはプラスチック、またはシリコーンベースのゴム。
【請求項１０】
発光デバイス、コンピューターデバイス、スタックダイ、携帯電話、タブレット、フリップチップパッケージ、ハイブリッドメモリキューブ、タッチスクリーン、Ｗｉ−Ｆｉデバイス、自動車技術ｈｉｆｉシステム、シリコン貫通電極デバイス、およびオーディオシステム、太陽熱暖房のヒートパイプと水タンクの間の接合部中、燃料電池および風力タービン中、コンピュータチップの製造中、ゲーム機、データ転送デバイス、ライトデバイス中、電池、ハウジング中、クーラー、熱交換装置、ワイヤー、ケーブル、暖房ワイヤー、冷蔵庫、食器洗い機、エアコン、アキュムレータ、変圧器、レーザー、機能性衣類、カーシート、医療機器、防火具、電気モーター、飛行機、および列車、３Ｄ印刷材料のフィラメントとして、ドラッグデリバリーシステム、経皮パッチ、創傷治癒パッチ、創傷被覆材パッチ、瘢痕縮小用パッチ、経皮イオントフォレーシス、組織工学用支持骨格、抗菌装置、創傷管理装置、眼科用デバイス、バイオインサート、プロテーゼ、ボディインプラント、塗料、構造コーティング、組積造コーティング、または海洋コーティング、シードコーティング、スーパースプレッダーまたは徐放性肥料から選択される、請求項９の製品。
【請求項１１】
請求項１から８のいずれか一項に記載のポリマーを含むパーソナルケア製品。
【請求項１２】
制汗剤／デオドラント、シェービング製品、スキンローション、保湿剤、化粧液、バス製品、クレンジング製品、シャンプー、コンディショナー、組み合わせたシャンプー／コンディショナー、ムース、スタイリングジェル、ヘアスプレー、ヘアダイ、ヘアカラー製品、ヘアブリーチ、ウェーブ製品、ヘアストレートナー、ネイルポリッシュ、ネイルポリッシュリムーバー、ネイルクリームまたはローション、キューティクルソフトナー、日焼け止め、防虫剤、アンチエイジング製品、リップスティック、ファンデーション、フェイスパウダー、アイライナー、アイシャドウ、頬紅、メイクアップ、マスカラ、保湿製剤、ファンデーション、ボディおよびハンド用製剤、スキンケア製剤、顔および首用製剤、トニック、ドレッシング、ヘアグルーミングエイド、エアロゾル固定剤、フレグランス製剤、アフターシェーブ、メイクアップ製剤、ソフトフォーカスアプリケーション、昼夜のスキンケア製剤、無着色の毛髪用製剤、日焼け用製剤、合成および非合成の固形石鹸、ハンドリキッド、鼻パック、パーソナルケア用不織布アプリケーション、ベビーローション、ベビーシャンプー、ベビーコンディショナー、シェービング用製剤、キュウリスライス、スキンパッド、メイク落とし、洗顔料、コールドクリーム、日焼け止め製品、スプリッツァー、ペーストマスクおよびマッド、フェイスマスク、コロンおよび化粧水、ヘアキューティクルコート、シャワージェル、フェイスおよびボディウォッシュ、パーソナルケアリンスオフ製品、ジェル、フォームバス、スクラブクレンザー、収斂剤、ネイルコンディショナー、アイシャドウスティック、フェイスまたはアイ用パウダー、リップクリーム、リップグロス、ヘアケアポンプスプレー、ヘアフリズコントロールジェル、ヘアリーブインコンディショナー、ヘアポマード、毛髪もつれ解消製品、毛髪固定剤、ヘアブリーチ製品、スキンローション、プレシェーブおよびプレエレクトリックシェーブ、無水クリームおよびローション、油／水エマルジョン、水／油エマルジョン、耐水性クリームまたはローション、抗にきび製剤、マウスウォッシュ、マッサージオイル、歯磨き粉、透明なジェルまたはスティック、軟膏ベース、局所創傷治癒製品、エアロゾルタルク、バリアスプレー、ビタミンおよびアンチエイジング製剤、ハーブ抽出物製剤、バスソルト、バスおよびボディミルク、ヘアスタイリングエイド、髪・目・爪および肌用ソフト固形アプリケーション、徐放性パーソナルケア製品、ヘアコンディショニングミスト、スキンケアモイスチャライジングミスト、スキンワイプ、毛穴スキンワイプ、毛穴クリーナー、傷痕軽減剤、皮膚角質除去剤、皮膚落屑促進剤、スキンタオルまたは布、除毛剤、またはパーソナルケア潤滑剤の形の請求項１１に記載のパーソナルケア製品。
【発明の詳細な説明】
【技術分野】
【０００１】
本発明は、シリコーンポリマーに関する。特に、本発明は、広範囲の温度にわたってエラストマー特性を示す不飽和環状部分を含む官能化シロキサンポリマーに関する。
【背景技術】
【０００２】
ポリ（アリーレンエーテル）は、ポリアリーレンエーテル骨格に沿った相補的な化学結合によって導かれるアモルファスおよび半結晶形態の両方を有する独特のエンジニアリング熱可塑性材料である。高い熱転移（または融点）および安定性、破壊および衝撃靭性、および酸化および加水分解に対する優れた耐性を示す能力により、過去何年にもわたって多くの商業用途でそれらを可能にしてきた。
【０００３】
ポリ（アリーレンエーテル）樹脂は、米国特許第５，９１６，９５２号および第４，２２６，７６１号に記載されるように複数の産業にわたってそれらの用途を拡大する多相材料を開発するために、長年にわたって様々な形態のポリシロキサンと配合されてきた。これらの組成物は、相分離および不十分な柔軟性を示す傾向がある。
【０００４】
寸法安定性、低い吸湿性、および高い機械的強度および絶縁耐力の関心から、明確に規定された熱可塑性シリコーン−ポリフェニレンエーテルブロック共重合体の探索はさらに続けられている。米国特許第５，２０４，４３８号、第３，６６８，２７３号、および第４，８１４，３９２号に記載されているようなポリマーが開発された。ポリ（アリーレンエーテル）樹脂の中で、１つ以上のジアリールスルホン基の反復または繰り返し単位を有するポリ（アリーレンエーテルスルホン）は、セグメント化ブロックコポリマーの形態のポリシロキサンと組み合わせて最も広く研究されている熱可塑性プラスチックの１つである。しかしながら、これらは通常、高温での溶融加工によって処理されることから、特定の産業でそれらの用途を制限している。ポリ（アリーレンエーテル）部分を取り込もうとするポリマーの他の例は、米国特許第５，５９６，０４８号および米国公開２００７／０２０８１４４に示されている。これらの製品の多くは、製造するために高感度で高価な試薬を必要とする。さらに、製品は望ましくない低分子量を有することがあり得、熱的および加水分解的安定性が低いことがあり得る。
【発明の概要】
【０００５】
不飽和環状基を含むオルガノシロキサンポリマーが提供される。ポリマーは、可逆的な熱可塑性挙動を示す。ポリマーは、様々な条件下で、固体、流体、ガム、またはワックス状の液体であり得る。ポリマーは、ポリマーから形成された材料の硬化後の特性に大きな影響を与えないように、少量の熱充填剤を組み込むことなく、高められた熱伝導率を示す。変性シリコーンポリマーを製造する方法および熱伝導性組成物を製造する方法も開示されている。
【０００６】
一態様では、以下の式のポリマーが提供され、
【化１】
2021518468.tif 000002
ここでＲ１−Ｒ１２は、水素、任意選択でヘテロ原子を含むＣ１−Ｃ１０一価炭化水素基、任意選択でヘテロ原子を含むＣ６−Ｃ２０一価芳香族基、および任意選択でヘテロ原子を含むＣ４からＣ３０一価飽和または不飽和シクロアルキル基、１−２０個のシリコン原子を含むシロキシ基、Ｚ１またはＺ２から独立して選択され；
Ｚ１およびＺ２は、水素、任意選択でヘテロ原子を含むＣ１−Ｃ１０炭化水素基、−ＯＨ、−ＮＨ２、−ＣＯＯＨ、またはＲ１６−Ａ−Ｒ１７−から独立して選択され、ここでＡは、芳香族基、官能化芳香族基、縮合芳香族基であってヘテロ原子を任意に含むもの、不飽和脂環式基、不飽和複素環基、またはそれらの２つ以上の組み合わせから選択される不飽和環状基を含む基から選択され、Ｒ１６およびＲ１７は、無し、任意選択でヘテロ原子を含むＣ１−Ｃ１０炭化水素基、任意選択でヘテロ原子を含むＣ６−Ｃ２０芳香族基、および任意選択でヘテロ原子を含むＣ４からＣ３０飽和または不飽和シクロアルキル基から独立して選択され、
Ｚ３は−Ｒ１９−Ａ−Ｒ１９−から選択され、ここでＡは、芳香族基、縮合芳香族基、不飽和脂環式基、不飽和複素環式基、またはそれらの２つ以上の組み合わせから選択される不飽和環状部分を含む基から選択され、そしてＲ１９は、無し、任意選択でヘテロ原子を含むＣ１−Ｃ１０炭化水素基、任意選択でヘテロ原子を含むＣ６−Ｃ２０芳香族基、および任意選択でヘテロ原子を含むＣ４からＣ３０飽和または不飽和シクロアルキル基から選択され、
ｍは１−１００であり、ｘは０−２００であり、そしてｙは０−２００であり、ここでｘ＋ｙ≧１であり、そして
（Ｂ）（ｉ）第１の充填剤、および（ｉｉ）第２の充填剤、ここで第１の充填剤および／または第２の充填剤のうちの少なくとも１つは、粒子サイズおよび／または形態に関して互いに異なる複数の充填剤タイプを含む。
【０００７】
一実施形態では、Ａは、Ｃ６からＣ１２芳香族基、Ｃ１０−Ｃ３６縮合芳香環基、Ｃ４−Ｃ３６不飽和脂環式基、およびＣ４−Ｃ３６不飽和複素環式基から独立して選択される。
【０００８】
一実施形態では、Ｚ１、Ｚ２、およびＺ３の１つ以上のＡは、式−Ａ１−Ｒ１８−Ａ２−の基から選択され、ここでＡ１およびＡ２は、Ｃ６からＣ１２アリール基、Ｃ１２−Ｃ３６縮合芳香環基、Ｃ５−Ｃ３６不飽和脂環式基、およびＣ５−Ｃ３６不飽和複素環式基から独立して選択され、そして、Ｒ１８は、直接結合、−（ＣＨ２）ｎ−、−Ｃ（ＣＨ３）２−、−Ｏ−、−Ｓ−、−Ｓ（Ｏ）２−、−Ｃ（Ｏ）−、Ｃ（Ｏ）−ＮＨ−、−ＮＨ−Ｃ（Ｏ）−ＮＨ−、Ｃ（Ｏ）−Ｏ−、−ＣＨ＝Ｎ−、または−ＣＨ＝Ｎ−Ｎ＝ＣＨ−から選択され、ここでｎは１−１０である。
【０００９】
一実施形態では、Ａは、
【化２】
2021518468.tif 000003
から独立して選択される。
【００１０】
一実施形態では、Ｚ１、Ｚ２およびＺ３におけるＡは、
【化３】
2021518468.tif 000004
である。
【００１１】
一実施形態では、Ｚ１、Ｚ２およびＺ３におけるＡは、
【化４】
2021518468.tif 000005
である。
【００１２】
一実施形態では、Ｚ１およびＺ２におけるＲ１６は、ＣＨ２＝ＣＨ２−（ＣＨ２）ａ−、ＣＨ２＝ＣＨ２−（ＣＨ２）ａ−Ｏ−から選択され、ここでａは０−１０であり、そしてＲ１７は、Ｃ２−Ｃ１０二価アルキル基、−Ｏ−（ＣＨ２）ｂ−、または−Ｏ−Ｃ（Ｏ）−（ＣＨ２）ｂ−から選択され、ここでｂは２−１０であり、そしてＺ３におけるＲ１９は、Ｒ１７から選択される。
【００１３】
一実施形態では、前述の実施形態によるポリマーは、約１０００ｇ／モルから約５００００ｇ／モルの数平均分子量を有する。
【００１４】
別の態様では、前述の実施形態のいずれかのポリマーを含む、自動車製品、家庭用製品、塗料、コーティング、洗濯洗剤、繊維処理剤、石油またはガス製品、燃料電池、電子製品、農業製品、航空宇宙製品、医療またはヘルスケア製品、膜、建設製品、接着剤、シーラント、射出成形および圧縮成形可能なゴムまたはプラスチック、またはシリコーンベースのゴムが提供される。
【００１５】
一実施形態では、製品は、発光デバイス、コンピューターデバイス、スタックダイ、携帯電話、タブレット、フリップチップパッケージ、ハイブリッドメモリキューブ、タッチスクリーン、Ｗｉ−Ｆｉデバイス、自動車技術ｈｉｆｉシステム、シリコン貫通電極デバイス、およびオーディオシステム、太陽熱暖房のヒートパイプと水タンクの間の接合部中、燃料電池および風力タービン中、コンピュータチップの製造中、ゲーム機、データ転送デバイス、ライトデバイス中、電池、ハウジング中、クーラー、熱交換装置、ワイヤー、ケーブル、暖房ワイヤー、冷蔵庫、食器洗い機、エアコン、アキュムレータ、変圧器、レーザー、機能性衣類、カーシート、医療機器、防火具、電気モーター、飛行機、および列車、３Ｄ印刷材料のフィラメントとして、ドラッグデリバリーシステム、経皮パッチ、創傷治癒パッチ、創傷被覆材パッチ、瘢痕縮小用パッチ、経皮イオントフォレーシス、組織工学用支持骨格、抗菌装置、創傷管理装置、眼科用デバイス、バイオインサート、プロテーゼ、ボディインプラント、塗料、構造コーティング、組積造コーティング、または海洋コーティング、シードコーティング、スーパースプレッダーまたは徐放性肥料から選択される。
【００１６】
別の態様では、前述の実施形態のいずれかのポリマーを含むパーソナルケア製品が提供される。
【００１７】
一実施形態では、パーソナルケア製品は、制汗剤／デオドラント、シェービング製品、スキンローション、保湿剤、化粧液、バス製品、クレンジング製品、シャンプー、コンディショナー、組み合わせたシャンプー／コンディショナー、ムース、スタイリングジェル、ヘアスプレー、ヘアダイ、ヘアカラー製品、ヘアブリーチ、ウェーブ製品、ヘアストレートナー、ネイルポリッシュ、ネイルポリッシュリムーバー、ネイルクリームまたはローション、キューティクルソフトナー、日焼け止め、防虫剤、アンチエイジング製品、リップスティック、ファンデーション、フェイスパウダー、アイライナー、アイシャドウ、頬紅、メイクアップ、マスカラ、保湿製剤、ファンデーション、ボディおよびハンド用製剤、スキンケア製剤、顔および首用製剤、トニック、ドレッシング、ヘアグルーミングエイド、エアロゾル固定剤、フレグランス製剤、アフターシェーブ、メイクアップ製剤、ソフトフォーカスアプリケーション、昼夜のスキンケア製剤、無着色の毛髪用製剤、日焼け用製剤、合成および非合成の固形石鹸、ハンドリキッド、鼻パック、パーソナルケア用不織布アプリケーション、ベビーローション、ベビーシャンプー、ベビーコンディショナー、シェービング用製剤、キュウリスライス、スキンパッド、メイク落とし、洗顔料、コールドクリーム、日焼け止め製品、スプリッツァー、ペーストマスクおよびマッド、フェイスマスク、コロンおよび化粧水、ヘアキューティクルコート、シャワージェル、フェイスおよびボディウォッシュ、パーソナルケアリンスオフ製品、ジェル、フォームバス、スクラブクレンザー、収斂剤、ネイルコンディショナー、アイシャドウスティック、フェイスまたはアイ用パウダー、リップクリーム、リップグロス、ヘアケアポンプスプレー、ヘアフリズコントロールジェル、ヘアリーブインコンディショナー、ヘアポマード、毛髪もつれ解消製品、毛髪固定剤、ヘアブリーチ製品、スキンローション、プレシェーブおよびプレエレクトリックシェーブ、無水クリームおよびローション、油／水エマルジョン、水／油エマルジョン、耐水性クリームまたはローション、抗にきび製剤、マウスウォッシュ、マッサージオイル、歯磨き粉、透明なジェルまたはスティック、軟膏ベース、局所創傷治癒製品、エアロゾルタルク、バリアスプレー、ビタミンおよびアンチエイジング製剤、ハーブ抽出物製剤、バスソルト、バスおよびボディミルク、ヘアスタイリングエイド、髪・目・爪および肌用ソフト固形アプリケーション、徐放性パーソナルケア製品、ヘアコンディショニングミスト、スキンケアモイスチャライジングミスト、スキンワイプ、毛穴スキンワイプ、毛穴クリーナー、傷痕軽減剤、皮膚角質除去剤、皮膚落屑促進剤、スキンタオルまたは布、除毛剤、またはパーソナルケア潤滑剤の形である。
【発明を実施するための形態】
【００１８】
ここで、例示的な実施形態を参照し、その例を添付の図面に示す。他の実施形態を利用することができ、構造的および機能的変更を行うことができることを理解されたい。さらに、様々な実施形態の特徴を組み合わせたり、変更したりすることができる。したがって、以下の説明は、例示としてのみ提示されており、例示された実施形態に対して行われ得る様々な代替および修正を決して限定するものではない。この開示において、多くの特定の詳細は、主題の開示の十分な理解を提供する。本開示の態様は、本明細書に記載されるすべての態様などを必ずしも含まない他の実施形態で実施できることを理解されたい。
【００１９】
本明細書で使用される場合、「例」および「例示」という用語は、実例または例示を意味する。「例」または「例示」という言葉は、重要なまたは好ましい態様または実施形態を示すものではない。「または」という言葉は、文脈上別段の示唆がない限り、排他的ではなく包括的であることを意図している。一例として、「ＡはＢまたはＣを使用する」という句は、任意の包括的順列を含む（例えば、ＡはＢを使用する；ＡはＣを使用する；またはＡはＢおよびＣの両方を使用する）。別の問題として、冠詞「ａ」および「ａｎ」は、文脈が別段の示唆をしない限り、一般に「１つまたは複数」を意味することを意図している。
【００２０】
官能化シリコーンポリマーおよびそれを含む組成物が提供される。特に、官能化シロキサンポリマーが提供される。官能化シロキサンポリマーは、シロキサン鎖内に有機基を含む（ＡＢ）ｎ型シロキサンポリマーである。シロキサンポリマーは、不飽和環状部分を含む有機基を含む。
【００２１】
下記式を有するシリコーンポリマーが提供され、
【化５】
2021518468.tif 000006
ここでＲ１−Ｒ１２は、水素、任意選択でヘテロ原子を含むＣ１−Ｃ１０一価炭化水素基、任意選択でヘテロ原子を含むＣ６−Ｃ２０一価芳香族基、および任意選択でヘテロ原子を含むＣ４−Ｃ３０一価飽和または不飽和シクロアルキル基、１−２０個のシリコーン原子を含むシロキシ基、Ｚ１またはＺ２から独立して選択され、
Ｚ１およびＺ２は、水素、Ｃ１−Ｃ１０炭化水素基であってヘテロ原子を任意に含むもの、−ＯＨ、−ＮＨ２、−ＣＯＯＨ、またはＲ１６−Ａ−Ｒ１７−から独立して選択され、ここでＡは、芳香族基、縮合芳香族基、不飽和脂環式基、不飽和複素環基、またはそれらの２つ以上の組み合わせから選択される不飽和環状基を含む基から選択され、Ｒ１６およびＲ１７は、無し、任意選択でヘテロ原子を含むＣ１−Ｃ１０炭化水素基、任意選択でヘテロ原子を含むＣ６−Ｃ２０芳香族基、および任意選択でヘテロ原子を含むＣ４からＣ３０飽和または不飽和シクロアルキル基から独立して選択され、
Ｚ３は−Ｒ１９−Ａ−Ｒ１９−から選択され、ここでＡは、芳香族基、縮合芳香族基、不飽和脂環式基、不飽和複素環式基、またはそれらの２つ以上の組み合わせから選択される不飽和環状部分を含む基から選択され、そしてＲ１９は、無し、任意選択でヘテロ原子を含むＣ１−Ｃ１０炭化水素基、任意選択でヘテロ原子を含むＣ６−Ｃ２０芳香族基、および任意選択でヘテロ原子を含むＣ４からＣ３０飽和または不飽和シクロアルキル基から選択され、
ｍは１−１００であり、ｘは０−２００であり、そしてｙは０−２００である。
【００２２】
本明細書で使用される場合、不飽和脂環式基は、１つ以上の不飽和結合を含む脂肪族環状基を指す。実施形態では、不飽和脂環式基は、少なくとも１つのＣ＝Ｃ結合を含む。実施形態では、不飽和脂環式基は、１つ以上のＣ＝Ｃ結合を含むＣ４−Ｃ３６脂環式基から選択される。不飽和脂環式基は、単一環、縮合環系、または二環式環系を含み得る。不飽和脂環式化合物の非限定的な例には、シクロペンテン、シクロヘキセン、シクロペンタジエン、ジシクロペンタジエンなどが含まれるが、これらに限定されない。
【００２３】
本明細書で使用される場合、不飽和複素環式基は、環構造内に少なくとも１つの不飽和結合および少なくとも１つのヘテロ原子を含む環状基を指す。不飽和基は、Ｃ＝Ｃまたは炭素原子とヘテロ原子の間の不飽和結合であり得る。
【００２４】
実施形態では、シロキサンポリマーは硬化性官能基を含む。そのような実施形態では、シロキサンは、アリル、ビニル、アリルオキシ、ビニルオキシ、アクリレート、メタクリレートなどの硬化性官能基を有する少なくとも１つのＺ１またはＺ２基を含む。一実施形態では、Ｚ１またはＺ２基におけるＲ１６は、ＣＨ２＝ＣＨ２−（ＣＨ２）ａ−、ＣＨ２＝ＣＨ２−（ＣＨ２）ａ−Ｏ−、ＣＨ２＝ＣＨ２−（ＣＨ２）ａ−Ｃ（Ｏ）−Ｏ−から選択され、ここでａは０−１０である。一実施形態では、Ｒ１６はＣＨ２＝ＣＨ２−（ＣＨ２）ａ−Ｏ−であり、ここでａは０である。一実施形態では、Ｒ１６はＣＨ２＝ＣＨ２−（ＣＨ２）ａ−Ｏ−であり、ここでａは１である。
【００２５】
Ｚ１およびＺ２におけるＲ１７（およびＺ３におけるＲ１９）は、Ｃ２−Ｃ１０二価アルキル基、−Ｏ−（ＣＨ２）ｂ−、または−Ｏ−Ｃ（Ｏ）−（ＣＨ２）ｂ−から選択され、ここでｂは２−１０である。
【００２６】
実施形態では、Ｚ１、Ｚ２およびＺ３におけるＡは、Ｃ６からＣ１２のアリール基、Ｃ１０からＣ３６の縮合芳香族基、Ｃ４−Ｃ３６不飽和脂環式基、およびＣ４−Ｃ３６不飽和複素環式基から独立して選択される。
【００２７】
一実施形態では、Ｚ１、Ｚ２、またはＺ３の１つ以上におけるＡは、式−Ａ１−Ｒ１８−Ａ２−から選択され、ここでＡ１およびＡ２は、Ｃ６からＣ１２のアリール基、Ｃ１２−Ｃ３６縮合芳香環、Ｃ５−Ｃ３６不飽和脂環式基、およびＣ５−Ｃ３６不飽和複素環式基から独立して選択され、そしてＲ１８は、直接結合、−（ＣＨ２）ｎ−、−Ｃ（ＣＨ３）２−、−Ｏ−、−Ｓ−、−Ｓ（Ｏ）２−、−Ｃ（Ｏ）−、Ｃ（Ｏ）−ＮＨ−、−ＮＨ−Ｃ（Ｏ）−ＮＨ−、Ｃ（Ｏ）−Ｏ−、−ＣＨ＝Ｎ−、または−ＣＨ＝Ｎ−Ｎ＝ＣＨ−から選択され、ここでｎは１−１０である。実施形態において、ｎは、１−６、１−４、または１−２である。
【００２８】
Ａ基に適した基の例には、以下が含まれるが、これらに限定されない。
【化６】
2021518468.tif 000007
【００２９】
適切なＺ３の例としては、限定されるものではないが、ベンゼンジイル基、ナフタレンジイル基、ビフェニルジイル基、アセナフチレン−５，６−ジイル基、ピリジン−２，３−ジイル基、ピリジン−２，６−ジイル基、Ｈ−イミダゾール−４，５−ジイル基、１Ｈ−ピロール−２，４−ジイル基、フラン−２，５−ジイル基、およびチオフェン−２，５−ジイル基が含まれる。ベンジジル基の例には、１，２−ベンゼンジイル基、１，３−ベンゼンジイル基、および１，４−ベンゼンジイル基が含まれる。ナフタレンジイル基の例には、１，２−ナフタレンジイル基、１，３−ナフタレンジイル基、１，４−ナフタレンジイル基、１，５−ナフタレンジイル基、１，６−ナフタレンジイル基、１，７−ナフタレンジイル基、１，８−ナフタレンジイル基、２，３−ナフタレンジイル基、２，６−ナフタレンジイル基、および２，７−ナフタレンジイル基が含まれる。ビフェニルジイル基の例には、ビフェニル−４，４’−ジイル基が含まれる。
【００３０】
ビフェニルジイル基の例には、４，４’−ビフェニルジイル基、３，３’−ビフェニルジイル基、４，４’−（２，２’−ジフェニルプロパン）ジイル基、３，３’−（２，２’−ジフェニルプロパン）ジイル基、４，４’−（ジフェニルスルホン）ジイル基、３，３’−（ジフェニルスルホン）ジイル基、４，４’−（３，３−ジフェニルヘキサフルオロプロパン）ジイル基、３，３’−（３，３−ジフェニルヘキサフルオロプロパン）ジイル基、４，４’−（ジフェニルエーテル）ジイル基、３，３’−（ジフェニルエーテル）ジイル基、４，４’−（ジフェニルケトン）ジイル基、３，３’−（ジフェニルケトン）ジイル基、４，４’−（２，２’−ジメチルビフェニル）ジイル基、４，４’−（２，２’−ビス（トリフルオロメチル）ビフェニル）ビフェニル）ジイル基および４，４’−（２，６，２’，６’−テトラメチルビフェニル）ジイル基が含まれる。
【００３１】
一実施形態では、Ｒ１−Ｒ１２はＣ１−Ｃ４アルキルであり、Ｚ１、Ｚ２およびＺ３におけるＡは、
【化７】
2021518468.tif 000008
であり、Ｚ１およびＺ２におけるＲ１６は、ＣＨ２＝ＣＨ２−（ＣＨ２）ａ−、ＣＨ２＝ＣＨ２−（ＣＨ２）ａ−Ｏ−から選択され、ここでａは０−１０であり、そしてＲ１７は、Ｃ２−Ｃ１０二価アルキル基、−Ｏ−（ＣＨ２）ｂ−、または−Ｏ−Ｃ（Ｏ）−（ＣＨ２）ｂ−から選択され、ここでｂは２−１０であり、そしてＺ３におけるＲ１９は、Ｒ１７から選択される。一実施形態では、Ｒ１６は、ＣＨ２＝ＣＨ２−（ＣＨ２）ａ−Ｏ−であり、ここでａは０である。一実施形態では、Ｒ１６は、ＣＨ２＝ＣＨ２−（ＣＨ２）ａ−Ｏ−であり、ここでａは１である。
【００３２】
一実施形態では、Ｒ１−Ｒ１２はＣ１−Ｃ４アルキルであり、Ｚ１、Ｚ２およびＺ３におけるＡは、
【化８】
2021518468.tif 000009
であり、Ｚ１およびＺ２におけるＲ１６は、ＣＨ２＝ＣＨ２−（ＣＨ２）ａ−、またはＣＨ２＝ＣＨ２−（ＣＨ２）ａ−Ｏ−から選択され、ここでａは０−１０であり、そしてＲ１７は、Ｃ２−Ｃ１０二価アルキル基、−Ｏ−（ＣＨ２）ｂ−、または−Ｏ−Ｃ（Ｏ）−（ＣＨ２）ｂ−から選択され、ここでｂは２−１０であり、そしてＺ３におけるＲ１９は、Ｒ１７から選択される。一実施形態では、Ｒ１６は、ＣＨ２＝ＣＨ２−（ＣＨ２）ａ−Ｏ−であり、ここでａは０である。一実施形態では、Ｒ１６は、ＣＨ２＝ＣＨ２−（ＣＨ２）ａ−Ｏ−であり、ここでａは１である。
【００３３】
一実施形態では、Ａは、（Ａ−ｉ）−（Ａ−ｘｉｉｉ）のいずれか１つから選択され、そしてＺ１およびＺ２におけるＲ１６は、ＣＨ２＝ＣＨ２−（ＣＨ２）ａ−、ＣＨ２＝ＣＨ２−（ＣＨ２）ａ−Ｏ−から選択され、ここでａは０−１０であり、そしてＲ１７は、Ｃ２−Ｃ１０二価アルキル基、−Ｏ−（ＣＨ２）ｂ−、または−Ｏ−Ｃ（Ｏ）−（ＣＨ２）ｂ−から選択され、ここでｂは２−１０であり、そしてＺ３におけるＲ１９は、Ｒ１７から選択される。一実施形態では、Ａは、（Ａ−ｉ）−（Ａ−ｘｉｉｉ）のいずれかから選択され、Ｒ１６は、ＣＨ２＝ＣＨ２−（ＣＨ２）ａ−Ｏ−から選択され、ここでａは０であり、そしてＲ１７は、−Ｏ−（ＣＨ２）ｂ−から選択され、ここでｂは２である。一実施形態では、Ａは、（Ａ−ｉ）−（Ａ−ｘｉｉｉ）のいずれかから選択され、Ｒ１６は、ＣＨ２＝ＣＨ２−（ＣＨ２）ａ−Ｏ−から選択され、ここでａは０であり、そしてＲ１７は、−Ｏ−（ＣＨ２）ｂ−から選択され、ここでｂは３である。一実施形態では、Ａは、（Ａ−ｉ）−（Ａ−ｘｉｉｉ）のいずれかから選択され、Ｒ１６は、ＣＨ２＝ＣＨ２−（ＣＨ２）ａ−Ｏ−から選択され、ここでａは１であり、そしてＲ１７は、−Ｏ−（ＣＨ２）ｂ−から選択され、ここでｂは２である。一実施形態では、Ａは、（Ａ−ｉ）−（Ａ−ｘｉｉｉ）のいずれかから選択され、Ｒ１６は、ＣＨ２＝ＣＨ２−（ＣＨ２）ａ−Ｏ−から選択され、ここでａは１であり、そしてＲ１７は、−Ｏ−（ＣＨ２）ｂ−から選択され、ここでｂは３である。
【００３４】
一実施形態では、ポリマーは、前述の実施形態のいずれかに関して記載された式を有し得、ここで以下のいずれかが、別々に、または互いに組み合わせて適用され得る：
・ｍは１−１００、ｍは５−９０、ｍは１０−８０、ｍは２０−７５、ｍは３０−６０、またはｍは４０−５０であり、
・ｘは０−２００、ｘは１０−１７５、ｘは２５−１５０、ｘは５０−１５０、ｘは７５−１２５、ｘは８０−１００であり、
・ｙは０−２００、ｙは１０−１７５、ｙは２５−１５０、ｙは５０−１５０、ｙは７５−１２５、ｙは８０−１００である。
数値を組み合わせて、新しい非特定の範囲を形成できることが理解されよう。
【００３５】
本ポリマーは、触媒の存在下での適切な不飽和化合物およびシリルヒドリドのヒドロシリル化を介して形成することができる。Ｚ１−Ｚ３基を提供する不飽和化合物は、式Ｒ１６−Ａ−Ｒ１６’のものであり得、ここでＡは上記のとおりであり、そしてＲ１６およびＲ１６’は、アリル、ビニル、アリルオキシ、ビニルオキシ、アクリレート、またはメタクリレートから独立して選択される。実施形態では、Ｒ１６およびＲ１６’は、ＣＨ２＝ＣＨ２−（ＣＨ２）ａ−、ＣＨ２＝ＣＨ２−（ＣＨ２）ａ−Ｏ−、ＣＨ２＝ＣＨ２−（ＣＨ２）ａ−Ｃ（Ｏ）−Ｏ−から独立して選択され、ここでａは０−１０である。シリルヒドリドは、例えば、末端シリルヒドリド官能基を有するシロキサン、またはシロキサンの主鎖内にＳｉ−Ｈ含有基を有するシロキサンであり得る。
【００３６】
有用な触媒には、反応性ＳｉＨ含有部分または置換基と炭素−炭素二重結合などの炭素−炭素結合との間のヒドロシリル化反応を触媒することができる化合物または分子が含まれる。また、１以上の実施形態では、これらの触媒は、反応媒体内に溶解し得る。触媒の種類には、第ＶＩＩＩ族金属を含む化合物を含む遷移金属化合物が含まれる。例示的な第ＶＩＩＩ族金属には、パラジウム、ロジウム、ゲルマニウム、および白金が含まれる。例示的な触媒化合物には、クロロ白金酸、元素白金、クロロ白金酸六水和物、ｓｙｍ−ジビニルテトラメチルジシロキサンとのクロロ白金酸の錯体、ジクロロ−ビス（トリフェニルホスフィン）白金（ＩＩ）、シス−ジクロロ−ビス（アセトニトリル）白金（ＩＩ）、ジカルボニルジクロロ白金（ＩＩ）、塩化白金、および酸化白金、０価白金金属錯体、例えば、Ｋａｒｓｔｅｄｔ触媒、［Ｃｐ＊Ｒｕ（ＭｅＣＮ）３］ＰＦ６、［ＰｔＣｌ２（シクロオクタジエン）］、担体に支持された固体白金（例えば、アルミナ、シリカまたはカーボンブラック）、白金−ビニルシロキサン錯体（例えば、Ｐｔｎ（ＶｉＭｅ２ＳｉＯＳｉＭｅ２Ｖｉ）ｃおよびＰｔ［（ＭｅＶｉＳｉＯ）４］ｄ））、白金−ホスフィン錯体（例えば、Ｐｔ（ＰＰｈ３）４およびＰｔ（ＰＢＵ３）４））、および白金−ホスファイト錯体（例えば、Ｐｔ［Ｐ（Ｏｐｈ）３］４およびＰｔ［Ｐ（Ｏｂｕ）３］４））、ここでＭｅはメチルを表し、Ｂｕはブチルを表し、「Ｖｉ」はビニルを表し、そしてＰｈはフェニルを表し、そしてｃおよびｄは整数を表す。他には、ＲｈＣｌ（ＰＰｈ３）３、ＲｈＣｌ３、Ｒｈ／Ａｌ２Ｏ３、ＲｕＣｌ３、ＩｒＣｌ３、ＦｅＣｌ３、ＡｌＣｌ３、ＰｄＣｌ２．２Ｈ２Ｏ、ＮｉＣｌ２、ＴｉＣｌ４などが含まれる。
【００３７】
一実施形態では、シリコーンポリマーは、約１０００ｇ／モルから約５００００ｇ／モル、約２０００ｇ／モルから約４００００ｇ／モル、さらには約３０００ｇ／モルから約１００００ｇ／モルの数平均分子量を有する。分子量は、ＧＰＣ、光散乱によって決定され得る。
【００３８】
ポリマーは、さまざまな用途で役立つ特性を示す。ポリマーの特性または状態は、ポリマーのさまざまな側面を制御することによって制御または調整することができる。特に、ポリマーは、重合度、シリコーン鎖長、および分子量を制御することによって、液体、ガム、または固体として提供され得る。
【００３９】
本ポリマーは、それらを多種多様な用途に適するようにすることができる望ましい特性を示すことが見出された。ポリマーは、高い熱安定性、屈折率、および熱伝導率を有している。
【００４０】
一態様では、ポリマーは、熱伝導性充填剤との複合物として提供することができる。ポリマーは、無機充填剤と組み合わせると優れた濡れ挙動を示し、充填剤がポリマー内に容易に分散される。これらの特性により、優れた熱伝導率を備えた材料の提供を可能にする。そのような材料は、例えば、自動車、電子、建設、航空宇宙、航空、医療、パーソナルケアなどを含む様々な用途の製品に使用することができる。熱伝導性充填剤との複合物として含むポリマーは、熱界面材料として使用することができる。
【００４１】
適切な熱伝導性充填剤の例には、窒化ホウ素、シリカ、ガラス繊維、酸化亜鉛、酸化マグネシウム、酸化ベリリウム、酸化チタン、酸化ジルコニウム、酸化イットリウムなどの金属酸化物、炭酸カルシウム、タルク、雲母、ウォラストナイト、粘土、剥離粘土、アルミナ、窒化アルミニウム、グラファイト、金属粉末、例えば、アルミニウム、銅、青銅、真ちゅうなど、またはそれらの２つ以上の組み合わせが含まれるが、これらに限定されない。
【００４２】
充填剤材料の粒子サイズは、特定の目的または意図された用途のために所望されるように選択され得る。実施形態では、充填剤材料は、約０．０１μｍから約５００μｍ、約０．１から約２５０μｍ、約１から約１００μｍ、約５から約７５μｍ、さらに約１０から約５０μｍの平均粒子サイズを有する。組成物は、異なる平均粒子サイズの無機充填剤の組み合わせを含み得ることが理解されよう。そのような組み合わせは、特定の目的または意図された用途のために所望されるように選択され得る。一実施形態では、組成物は、約０．０１から約０．１μｍの平均粒子サイズを有する第１の有機充填剤、約１μｍから約２５μｍの平均粒子サイズを有する第２の充填剤、および任意選択で約５０μｍから約１００μｍの平均粒子サイズを有する第３の充填剤を含む。第１、第２、および第３の充填剤は、充填剤の化学的構成に関して、互いに同じであっても異なっていてもよい。
【００４３】
シリコーンポリマーをシリコーン流体と配合して、物理的ゲルを形成することができる。本明細書で使用される場合、「物理的ゲル」は、主な液相中に微細に分散された固相の形態で配置され、そして弱い結合の存在により容易に分解される低密度のネットワークを形成することができる化合物を含む材料を指し、ここでこのネットワークは可逆的である。
【００４４】
シリコーン流体は、任意の適切なシリコーン流体の中から選択することができる。例えば、シリコーン流体は、有機ポリシロキサン、シリコーンコポリオール、ジシロキサン、トリシロキサン、テトラシロキサン、トリメチコン、アルキルシロキサンまたはシクロポリシロキサン、あるいはそれらの組み合わせであり得る。
【００４５】
適切なシリコーン流体の例には、８センチストークス以下の粘度を有し、そして例えば２から７個のケイ素原子を有するものなどの分岐、非分岐、直鎖、または環状のシリコーン流体が含まれ、これらのシリコーンは、任意選択で、アルキル、ポリエーテル、またはアルコキシ基であって１から１２個の炭素原子を有するものを含む。適切なシリコーン流体のいくつかの非限定的な例には、オクタメチルシクロテトラシロキサン、デカメチルシクロペンタシロキサン、ドデカメチルシクロヘキサシロキサン、ヘプタメチルヘキシルトリシロキサン、ヘプタメチルオクチルトリシロキサン、ヘキサメチルジシロキサン、オクタメチルトリシロキサン、デカメチルテトラシロキサン、ドデカメチルペンタシロキサン、カプリルメチコン、ＰＥＧ／ＰＰＧ５／３メチコン、およびそれらの２つ以上の混合物が含まれる。
【００４６】
他の適切なシリコーン流体には、例えば、ポリジメチルシロキサン（ＰＤＭＳ）、ペンダントおよび／またはシリコーン鎖末端にアルキル、ポリエーテルまたはアルコキシ基を含むポリジメチルシロキサンであってアルキルおよびアルコキシ基のそれぞれが１から１２個の炭素原子を有するもの、フェニル化シリコーン、例えばエチルメチコン、ヘプチルメチコン、ヘキシルメチコン、プロピルメチコン、イソプロピルメチコン、ヘプチルメチコン、ｓｅｃ−ブチルメチコン、ｔｅｒｔ−ブチルメチコン、ペンチルメチコン、フェニルトリメチコン、フェニルジメチコン、フェニルトリメチルシロキシジフェニルシロキサン、ジフェニルジメチコーン、ジフェニルメチル−ジフェニルトリシロキサンおよび（２−フェニルエチル）トリメチルシロキシシリケートが含まれる。
【００４７】
シリコーン流体として適切なトリシロキサンのいくつかの非限定的な例には、直鎖アルキルトリシロキサンが含まれる。アルキルトリシロキサンの例は、エチルトリシロキサン、オクチルトリシロキサン、ヘキシルトリシロキサンなどである。いくつかの特定のトリシロキサンには、１，１，１，３，５，５，５−ヘプタメチル−３−エチルトリシロキサン；１，１，１，３，５，５，５−ヘプタメチル−３−オクチルトリシロキサン；１，１，１，３，５，５，５−ヘプタメチル−３−ヘキシルトリシロキサン、およびそれらの２つ以上の組み合わせが含まれる。本明細書の１つの特定の実施形態では、トリシロキサンは、米国特許出願公開第２００４／０１９７２８４Ａ１号または米国特許出願公開第２００５／００６９５６４Ａ１号に記載されているものなどのトリシロキサンであり得、これらのそれぞれの内容は、参照によりその全体が本明細書に組み込まれる。トリシロキサンのさらにより具体的な例には、３−ペンチル−１，１，１，３，５，５，５−ヘプタメチルトリシロキサン；１，１，１，３，５，５，５−ヘプタメチル−３−オクチルトリシロキサン、固体、例えば、MomentivePerformance Materials Inc.製の商品名「Silsoft 034」：１，１，１，３，５，５，５−ヘプタメチル−３−ヘキシルトリシロキサン；３−（１−エチルブチル）−１，１，１，３，５，５，５−ヘプタメチルトリシロキサン；１，１，１，３，５，５，５−ヘプタメチル−３−（１−メチルペンチル）トリシロキサン；１，１，１，３，５，５，５−ヘプタメチル−３−（１−メチルプロピル）トリシロキサン；３−（１，１−ジメチルエチル）−１，１，１，３，５，５，５−ヘプタメチルトリシロキサン；１，１，１，５，５，５−ヘキサメチル−３，３−ビス（１−メチルエチル）トリシロキサン；３−（３，３−ジメチルブチル）−１，１，１，３，５，５，５−ヘプタメチルトリシロキサン；１，１，１，３，５，５，５−ヘプタメチル−３−（３−メチルブチル）トリシロキサン；１，１，１，３，５，５，５−ヘプタメチル−３−（３−メチルペンチル）トリシロキサン；１，１，１，３，５，５，５−ヘプタメチル−３−（２−メチルプロピル）トリシロキサン；１，１，１，３，５，５，５−ヘプタメチル−３−プロピルトリシロキサン；３−イソヘキシル−１，１，１，３，５，５，５−ヘプタメチルトリシロキサン；３−ｔｅｒｔ−ペンチル−１，１，１，３，５，５，５−ヘプタメチルトリシロキサン；３−ネオペンチル−１，１，１，３，５，５，５−ヘプタメチルトリシロキサン；１，１，１，５，５，５−ヘキサメチル−３，３−ジプロピルトリシロキサン；３，３−ジエチル−１，１，１，５，５，５−ヘキサメチルトリシロキサン；３，３−ジブチル−１，１，１，５，５，５−ヘキサメチルトリシロキサン；３−エチル−１，１，１，３，５，５，５−ヘプタメチルトリシロキサン；３−ヘプチル−１，１，１，３，５，５，５−ヘプタメチルトリシロキサン；１，１，１，５，５，５−ヘキサメチル−３，３−ジエチルトリシロキサン；１，１，１，３，５，５，５−ヘプタメチル−３−ブチルトリシロキサン、およびそれらの２つ以上の組み合わせが含まれる。
【００４８】
さらに、他の市販のポリシロキサンには、Dow Corning Inc.製のToray FZ-3196、Clariant Inc.製のSilCare Silicone 41M15、Gelest製のSibrid AM 108、またはそれらの組み合わせが含まれるが、これらに限定されない。また、Hydrobrite 2000 Gel（旧WitcoのChemtura製）またはSilCare 51M15カプリリルメチコン中のトリメチルシロキシシリケート（Clariant製）などの混合物は、シリコーン流体に適したポリシロキサンである。
【００４９】
実施形態では、本発明のコポリマーはまた、チキソトロピー剤またはレオロジー改質剤としての使用を見出すことができる。本明細書で使用される「チキソトロピー剤」は、それが含まれる組成物のチキソトロピーを増加させ、ずり流動化を促進し、低減された射出力の使用を可能にするものである。
【００５０】
本ポリマーは、硬化性または非硬化性であり得る。硬化性ポリマーは、一般に、ポリマーに結合した硬化性官能基を含むことになる。硬化性ポリマーは、縮合硬化メカニズムまたは熱硬化メカニズムのいずれかによって硬化させることができる。一実施形態では、ポリマーは縮合硬化性である。完全にまたは部分的に加水分解されたトップコート材料の縮合を促進する縮合触媒などの任意の適切な成分を使用して、縮合硬化を促進することができる。触媒は、シロキサンの硬化を促進するのに適した触媒であり得る。有利には、縮合触媒を使用することができる。適切な縮合触媒には、ジブチルスズジラウレートおよびジオクチルスズジラウレートなどのジアルキルスズジカルボキシレート、第三級アミン、オクタン酸第一スズおよび酢酸第一スズなどのカルボン酸の第一スズ塩などが含まれるが、これらに限定されない。他の有用な触媒には、ジルコニウム含有、アルミニウム含有、およびビスマス含有錯体、例えば、King Industries, Inc.製のK-KAT（登録商標）XC6212、K-KAT（登録商標）5218およびK-KAT（登録商標）348、チタンキレート、例えば、DuPont company製のTYZOR（登録商標）タイプ、Kenrich Petrochemical, Inc.製のKRタイプ、および他の有機金属触媒、例えば、Ａｌ、Ｚｎ、Ｃｏ、Ｎｉ、Ｆｅなどの金属を含むものが含まれる。
【００５１】
一実施形態では、ポリマーは熱硬化性であり、熱硬化触媒を含む。一実施形態では、熱硬化触媒は、アルキルアンモニウムカルボキシレートから選択される。アルキルアンモニウムカルボキシレートは、ジ−、トリ−、またはテトラ−アンモニウムカルボキシレートであり得る。一実施形態では、触媒は、式［（Ｃ４Ｈ９）４Ｎ］＋［ＯＣ（Ｏ）−Ｒ］−のテトラブチルアンモニウムカルボキシレートから選択され、ここでＲは、水素、約１から約８個の炭素原子を含むアルキル基、および約６から２０個の炭素原子を含む芳香族基からなる群から選択される。実施形態では、Ｒは、メチル、エチル、プロピル、ブチル、およびイソブチルなど、約１から４個の炭素原子を含む基である。例示的な触媒は、テトラ−ｎ−ブチルアンモニウムアセテート（ＴＢＡＡ）、テトラ−ｎ−ブチルアンモニウムホルメート、テトラ−ｎ−ブチルアンモニウムベンゾエート、テトラ−ｎ−ブチルアンモニウム−２−エチルヘキサノエート、テトラ−ｎ−ブチルアンモニウム−ｐ−エチルベンゾエート、およびテトラ−ｎ−ブチルアンモニウムプロピオネート、またはそれらの２つ以上の組み合わせである。特に適切な触媒は、テトラ−ｎ−ブチルアンモニウムアセテートおよびテトラ−ｎ−ブチルアンモニウムホルメート、テトラメチルアンモニウムアセテート、テトラメチルアンモニウムベンゾエート、テトラヘキシルアンモニウムアセテート、ジメチルアニリウムホルメート、ジメチルアンモニウムアセテート、テトラメチルアンモニウムカルボキシレート、テトラメチルアンモニウム−２−エチルヘキサノエート、ベンジルトリメチルアンモニウムアセテート、テトラエチルアンモニウムアセテート、テトライソプロピルアンモニウムアセテート、トリエタノール−メチルアンモニウムアセテート、ジエタノールジメチルアンモニウムアセテート、モノエタノールトリメチルアンモニウムアセテート、エチルトリフェニルホスホニウムアセテートである。
【００５２】
一般に、触媒は、コーティングの物理的特性に影響を与えたり損なったりしない量であるが、硬化反応を触媒するのに十分な量で添加されるべきである。一実施形態では、触媒は、１ｐｐｍから約７５ｐｐｍ；約１０ｐｐｍから約７０ｐｐｍ；さらに約２０ｐｐｍから約６０ｐｐｍの範囲の量で提供される。ここで、明細書および特許請求の範囲の他の場所にて、数値を組み合わせて、新しい非開示の範囲を形成することができる。触媒の「ｐｐｍ」値は、コーティングの総重量固体あたりの触媒の総モルとして定義することができる。
【００５３】
本シリコーンポリマーまたはそのようなポリマーを使用する組成物は、パーソナルケア、ヘルスケア、家庭用、塗料、自動車、コーティング、洗濯洗剤、繊維処理、石油およびガス、燃料電池、建設製品、航空宇宙製品、医療製品、電子アプリケーション、農業、膜、接着剤、シーラント、射出成形可能および圧縮成形可能なゴムおよびプラスチック、および様々なシリコーンベースのゴムを含むがこれらに限定されない様々な組成物および用途で使用することができる。
【００５４】
ポリマーとシリコーン流体との配合物は、化粧品、日焼け止め、シャンプーまたはコンディショナーなどのヘア製品、ローション、クリームなどのパーソナルケア用途および組成物での使用に適した物理的ゲルを提供し得る。パーソナルケア製品の例には、スプレー、スティック、ロールオン製品を含む制汗剤／デオドラント、シェービング製品、スキンローション、保湿剤、化粧液、バス製品、クレンジング製品、シャンプー、コンディショナー、組み合わせたシャンプー／コンディショナー、ムース、スタイリングジェル、ヘアスプレー、ヘアダイ、ヘアカラー製品、ヘアブリーチ、ウェーブ製品、ヘアストレートナー、ネイルポリッシュ、ネイルポリッシュリムーバー、ネイルクリームおよびローション、キューティクルソフトナー、日焼け止め、防虫剤、アンチエイジング製品、リップスティック、ファンデーション、フェイスパウダー、アイライナー、アイシャドウ、頬紅、メイクアップ、マスカラ、保湿製剤、ファンデーション、ボディおよびハンド用製剤、スキンケア製剤、顔および首用製剤、トニック、ドレッシング、ヘアグルーミングエイド、エアロゾル固定剤、フレグランス製剤、アフターシェーブ、メイクアップ製剤、ソフトフォーカスアプリケーション、昼夜のスキンケア製剤、無着色の毛髪用製剤、日焼け用製剤、合成および非合成の固形石鹸、ハンドリキッド、鼻パック、パーソナルケア用不織布アプリケーション、ベビーローション、ベビーバスおよびシャンプー、ベビーコンディショナー、シェービング用製剤、キュウリスライス、スキンパッド、メイク落とし、洗顔料、コールドクリーム、日焼け止め製品、ムース、スプリッツァー、ペーストマスクおよびマッド、フェイスマスク、コロンおよび化粧水、ヘアキューティクルコート、シャワージェル、フェイスおよびボディウォッシュ、パーソナルケアリンスオフ製品、ジェル、フォームバス、スクラブクレンザー、収斂剤、ネイルコンディショナー、アイシャドウスティック、フェイスまたはアイ用パウダー、リップクリーム、リップグロス、ヘアケアポンプスプレーおよびその他の非エアゾールスプレー、ヘアフリズコントロールジェル、ヘアリーブインコンディショナー、ヘアポマード、毛髪もつれ解消製品、毛髪固定剤、ヘアブリーチ製品、スキンローション、プレシェーブおよびプレエレクトリックシェーブ、無水クリームおよびローション、油／水、水／油、多重およびマクロおよびマイクロエマルジョン、耐水性クリームまたはローション、抗にきび製剤、マウスウォッシュ、マッサージオイル、歯磨き粉、透明なジェルまたはスティック、軟膏ベース、局所創傷治癒製品、エアロゾルタルク、バリアスプレー、ビタミンおよびアンチエイジング製剤、ハーブ抽出物製剤、バスソルト、バスおよびボディミルク、ヘアスタイリングエイド、髪・目・爪および肌用ソフト固形アプリケーション、徐放性パーソナルケア製品、ヘアコンディショニングミスト、スキンケアモイスチャライジングミスト、スキンワイプ、毛穴スキンワイプ、毛穴クリーナー、傷痕軽減剤、皮膚角質除去剤、皮膚落屑促進剤、スキンタオルまたは布、除毛剤、パーソナルケア潤滑剤、ネイルカラー製剤、日焼け止め、化粧品、ヘアケア製品、スキンケア製品、歯磨き粉、皮膚に適用される医薬組成物の局所適用のための薬物送達システム、および前述の用途の少なくとも１つを含む組み合わせが含まれるが、これらに限定されない。パーソナルケア組成物は、担体、顔料、フィルム形成剤、乳化剤、ビタミン、可塑剤、界面活性剤、抗酸化剤、ワックス、油、溶媒などのような様々な成分を含むことができる。
【００５５】
一実施形態では、パーソナルケア製品は、任意選択で０−９０重量部の顔料を含み得る。本明細書での使用に適した顔料は、すべて無機および有機の色素／顔料である。これらは通常、アルミニウム、バリウム、またはカルシウムの塩またはレーキである。レーキは、固体希釈剤で拡張または減縮される顔料、または通常は水酸化アルミニウムである吸着表面に水溶性染料を沈殿させることによって調製される有機顔料のいずれかである。レーキはまた、酸または塩基性染料からの不溶性塩の沈殿から形成される。カルシウムおよびバリウムのレーキもここで使用される。適切なレーキとしては、限定されるものではないが、Ｒｅｄ３アルミニウムレーキ、Ｒｅｄ２１アルミニウムレーキ、Ｒｅｄ２７アルミニウムレーキ、Ｒｅｄ２８アルミニウムレーキ、Ｒｅｄ３３アルミニウムレーキ、Ｙｅｌｌｏｗ５アルミニウムレーキ、Ｙｅｌｌｏｗ６アルミニウムレーキ、Ｙｅｌｌｏｗ１０アルミニウムレーキ、Ｏｒａｎｇｅ５アルミニウムレーキおよびＢｌｕｅ１アルミニウムレーキ、Ｒｅｄ６バリウムレーキ、Ｒｅｄ７カルシウムレーキが含まれる。パール、酸化チタン、Ｒｅｄ６、Ｒｅｄ２１、Ｂｌｕｅ１、Ｏｒａｎｇｅ５、およびＧｒｅｅｎ５の染料、チョーク、タルク、酸化鉄、チタン化マイカなど、他の色素や顔料も組成物に含めることができる。
【００５６】
パーソナルケア組成物は、任意選択で、従来技術で知られている０−９９重量部の有機フィルム形成剤を含み得る。フィルム形成剤は、美容上許容されるものであればどれでもよい。有用なフィルム形成剤の例には、天然ワックス、ポリエチレンポリマーおよびＰＶＰのコポリマーなどのポリマー、エチレン酢酸ビニル、ジメチコンガム、およびシェラック、ポリテルペンなどの樹脂が含まれる。
【００５７】
パーソナルケア組成物は、任意選択で、遮断性または吸収性の日焼け止め剤を０−５０重量部で含み得る。遮断性日焼け止め剤は、一般に無機物であり、例えば、様々な酸化セシウム、酸化クロム、酸化コバルト、酸化鉄、赤色石油、シリコーンおよび他の処理された二酸化チタン、二酸化チタン、酸化亜鉛、および／または酸化ジルコニウム、ＢａＴｉＯ３、ＣａＴｉＯ３、ＳｒＴｉＯ３およびＳｉＣである。通常は有機種である吸収性日焼け止め剤は、特に有用である。このような吸収性日焼け止め剤には、一般に紫外線スペクトルの３２０から４００ｎｍ領域の放射線を吸収するＵＶ−Ａ吸収剤、例えば、アントラニレート、ベンゾフェノン、およびジベンゾイルメタン；および一般に紫外線スペクトルの２８０から３２０ｎｍの領域の放射線を吸収するＵＶ−Ｂ吸収剤、例えば、ｐ−アミノ安息香酸誘導体、樟脳誘導体、桂皮酸塩、およびサリチル酸塩が含まれるが、これらに限定されない。有機日焼け止め剤の具体例には、ｐ−アミノ安息香酸、アボベンゾンシノキサート、ジオキシベンゾン、ホモサレート、メンチルアントラニレート、オクトクリレン、オクチルメトキシシンナメート、オクチルサリチレート、オキシベンゾン、パディメート、フェニルベンズイミダゾールスルホン酸、スリソベンゾン、サリチル酸トロラミン、アミノ安息香酸、アミルジメチルｐ−アミノ安息香酸、ジエタノールアミンｐ−メトキシシンナメート、ジガロイルトリオレエート、２−エチルヘキシル−２−シアノ−３，３−ジフェニルアクリレート、エチルヘキシルｐ−メトキシシンナメート、２−エチルヘキシルサリチレート、グリセリルアミノベンゾエート、ホモメンチルサリチレート、ホモサレート、３−イミダゾール−４−イルアクリル酸およびそのエチルエステル、メチルアントラニレート、オクチルジメチルＰＡＢＡ、２−フェニルベンズイミダゾール−５−スルホン酸および塩、スリソベンゾン、トリエタノールアミンサリチレート、Ｎ，Ｎ，Ｎ−トリメチル−４−（２−オキソボルン−３−イリデンメチル）アニリニウムメチルサルフェート、アミノ安息香酸、４−イソプロピルベンジルサリチレート、２−エチルヘキシル４−メトキシシンナメート、メチルジイソプロピルシンナメート、イソアミル４−メトキシシンナメート、ジエタノールアミン４−メトキシシンナメート、３−（４’−トリメチルアンモニウム）−ベンジリデン−ボマン−２−オンメチルサルフェート、２−ヒドロキシ−４−メトキシベンゾフェノン、２−ヒドロキシ−４−メトキシベンゾフェノン−５−スルホネート、２，４−ジヒドロキシベンゾフェノン、２，２’，４，４’−テトラヒドロキシベンゾフェノン、２，２’−ジヒドロキシ−４，４’ジメトキシベンゾフェノン、２−ヒドロキシ−４−ｎ−オクトキシベンゾフェノン、２−ヒドロキシ−４−メトキシ−４’−メトキシベンゾフェノン、ｃａ−（２−オキソボルン−３−イリデン）−トリル−４−スルホン酸およびその可溶性塩、３−（４’−スルホ）ベンジリデン−ボルナン−２−オンおよびその可溶性塩、３−（４’−メチルベンジリデン）−ｄ，ｌ−カンファー、３−ベンジリデン−ｄ，ｌ−カンファー、ベンゼン１，４−ジ（３−メチリデン−１０−カンフォスルフォニック）酸およびその塩、ウロカニン酸、２，４，６−トリス−（２’−エチルヘキシル−１’−オキシカルボニル）−アニリノール１，３，５−トリアジン、２−（ｐ−（ｔｅｒｔ−ブチルアミド）アニリノール−４，６−ビス−（ｐ−（２’−エチルヘキシル１’−オキシカルボニル）アニリノール１，３，５−トリアジン、２，４−ビス｛１，４−（２−エチルヘキシルオキシ）−２−ヒドロキシル−フェニル｝−６−（４−メトキシフェニル）−１，３，５−トリアジン、Ｎ−（２ｅｔ ４）−（２−オキソボルン−３−イリデン）メチルベンジルアクリルアミドのポリマー、１，４−ビスベンズイミダゾリル−フェニレン−３，３’，５，５’−テトラスルホン酸およびその塩、ベンザルマロネート置換ポリオルガノシロキサン、ベンゾトリアゾール置換ポリオルガノシロキサン（ドロメトリゾールトリシロキサン）、可溶化２，２’−メチレン−ビス−１，６−（２Ｈ−ベンゾトリアゾール−２−イル）−４−（１，１，３，３−テトラメチルブチル）フェノール、２−メチルジベンゾイルメタン、４−メチルジベンゾイルメタン、４−イソプロピルジベンゾイルメタン、４−ｔｅｒｔ−ブチルジベンゾイルメタン、２，４−ジメチルジベンゾイルメタン、２，５−ジメチルジベンゾイルメタン、４，４’−ジイソプロピルジベンゾイルメタン、４，４’−ジメトキシジベンゾイルメタン、４−ｔｅｒｔ−ブチル−４’−メトキシジベンゾイルメタン、２−メチル−５−イソプロピル−４’−メトキシジベンゾイルメタン、２−メチル−５−ｔｅｒｔ−ブチル−４’−メトキシジベンゾイルメタン、２，４−ジメチル−４’−メトキシジベンゾイルメタン、２，６−ジメチル−４−ｔｅｒｔ−ブチル−４’−メトキシジベンゾイルメタン、および前述の日焼け止め剤の少なくとも１つを含む組み合わせが含まれる。
【００５８】
パーソナルケア組成物は、限定されるものではないが、カラー化粧品、日焼け止め、ヘアコンディショナー、保湿剤などとして使用するために特に処方することができる。そのような用途に適した形態および製剤は、当業者に知られている。例えば、日焼け止めとして使用するために処方される場合、組成物は、層状エマルジョン、マイクロエマルジョン、またはナノエマルジョンの形態であり得る。さらに、エマルジョンは、流体単純エマルジョン、流体多重エマルジョン、剛性単純エマルジョン、または剛性多重エマルジョンであり得る。単純エマルジョンまたは多重エマルジョンは、分散した脂質小胞または油滴を含む連続水相、または分散した脂質小胞または水滴の連続脂肪相を含み得る。一実施形態では、日焼け止めアプリケーションは、連続水相を有するエマルジョンであり、スティック、ローション、ゲル、スプレーなどの形態であり得る。日焼け止めエマルジョンの形成に適した乳化剤には、例えば、SEPPICから入手可能なPolysorbate-20、Laureth-7、Laureth-4、Sepigel（登録商標）305のような当技術分野で知られているエトキシル化界面活性剤、植物油や鉱油などの油；蜜蝋、パラフィン、ライスワックス、カンデリラワックス、カルナウバワックスおよびそれらの誘導体などの動物および／または合成ワックス；および炭化水素ゲルまたはベントンタイプのゲル、例えば、Gel SS71、Gel EA2786、Quaternium-18 Bentonite、38 CE、GelISD VまたはGel ISD；および有機ケイ素乳化剤、例えば、Goldschmidt Chemical Corporationから入手可能なセチルジメチコンコポリオール−ポリグリセリル４−イソステアレート−ヘキシルラウレート(ABIL（登録商標）WE 09)、ベヘネートジメチコン、セチルジメチコンコポリオール(ABIL（登録商標）EM 90)、(ABIL（登録商標）EM 97)、ラウリルメチコンコポリオール（5200）、シクロメチコンおよびジメチコンコポリオール（DC 5225CおよびDC 3225 C）、シクロペンタシロキサンおよびジメチコンコポリオール（SF 1528）が含まれる。
【００５９】
パーソナルケア組成物は、任意選択で、ビタミンまたは皮膚栄養剤を含み得る。いくつかの適切な薬剤は、セラミド、ヒアルロン酸、パンテノール、ペプチド（銅ヘキサペプチド−３）、ＡＨＡ（乳酸）、レチノール（レチニルパルミテート）−Ｖｉｔ．Ａ誘導体、ビタミンＣ（ｌ−アスコルビン酸）、ＢＨＡ（サリチル酸）、お茶（緑茶、白茶、紅茶）、大豆およびその他の植物誘導体、イソフラボン（ブドウ種子抽出物）、アルギレリン、アサイベリーである。
【００６０】
得られる配合物の柔軟性および美容特性を改善するために、可塑剤を配合物に添加することもできる。可塑剤は、フィルム形成剤の脆性および亀裂を回避するために頻繁に使用され、例えば、レシチン、ポリソルベート、ジメチコンコポリオール、グリコール、クエン酸エステル、グリセリン、およびジメチコンが含まれる。当業者は、所望の特性および想定される用途に基づいて、所望の可塑剤の量を通常通りに変えることができる。
【００６１】
本発明のポリマーは、適用後に迅速に揮発する揮発性担体などの担体に組み込むことができる。揮発性担体は、揮発性炭化水素、揮発性シリコーン、およびそれらの混合物から選択することができる。
【００６２】
パーソナルケア製品に有用な炭化水素油には、約Ｃ８から約Ｃ２０の鎖長を有する炭化水素油、さらにはＣ８からＣ２０のイソパラフィンを含む、６０−２６０℃の範囲の沸点を有するものが含まれる。例には、イソドデカン、イソヘキサデカン、イソエオコサン、２，２，４−トリメチルペンタン、２，３−ジメチルヘキサン、およびそれらの２つ以上の混合物が含まれる。
【００６３】
適切な揮発性シリコーン流体には、式（Ｒ２ＳｉＯ）ｘに対応する３、４および５員環構造を有するシクロメチコンが含まれ、ここでｘは約３から約６である。
【００６４】
上記に記載されたものは、本明細書の例を含む。もちろん、本明細書を説明する目的で構成要素または方法論の考えられるすべての組み合わせを説明することは不可能であるが、当業者は、本明細書のさらに多くの組み合わせおよび順列が可能であることを理解することができる。したがって、本明細書は、添付の特許請求の範囲の精神および範囲内にあるそのようなすべての変更、修正、および変形を包含することを意図している。さらに、「含む（includes）」という用語が詳細な説明または特許請求の範囲のいずれかで使用される限り、そのような用語は、「含む（comprising）」という用語は、「含む（comprising）」が請求項における移行語として使用される場合に解釈されるのと同様の方法で包括的であることを意図する。
【実施例】
【００６５】
例
【００６６】
例１：末端アリルオキシエーテル基を有するジフェニルスルホン官能化ポリオルガノシロキサン
【００６７】
還流冷却器、滴下漏斗および窒素環境下での機械的攪拌機を備えた３つ口丸底フラスコ中のトルエン（１００ｍＬ）中のアリルオキシジフェニルスルホン（１６．９ｇ、０．０５１モル）およびＫａｒｓｔｅｄｔ触媒（５ｐｐｍの２重量％Ｐｔ）の溶液に、末端ヒドリド基を有するポリジメチルシロキサン（Ｈｙｄｅｑｖ． ０．９５２）（３３４．５２ｇ、０．１５１モル）を３０分間にわたって滴下して加えた。反応温度を８５℃に上昇させ、１Ｈ−ＮＭＲからすべてのヒドリドピークが消失するまで継続させた。得られたアリルオキシエーテル末端ポリマーを１５０℃で３時間真空ストリッピングして、揮発性化合物と溶媒を除去した。生成物は高粘度の液体として得られた（ＧＰＣ：Ｍｎ＝１２３９２、ＰＤＩ−１．８；Ｖｉｓ：６Ｐａ．Ｓ）。
【００６８】
例２：末端ヒドリド基を有するジフェニルスルホン官能化ポリオルガノシロキサン
【００６９】
トルエン（１５０ｍＬ）中のアリルオキシジフェニルスルホン（２５ｇ、０．０７６モル）およびＫａｒｓｔｅｄｔ触媒（０．０９ｇ、５ｐｐｍの２重量％Ｐｔ）の７５℃での溶液に対して、末端ヒドリド基を有するポリジメチルシロキサン（Ｈｙｄｅｑｖ． ０．９５２）（３３４．５２ｇ、０．１５１モル）を３０分間かけて滴下して加えた。続いて反応温度を８５℃に上げ、１Ｈ−ＮＭＲからすべてのアリルピークが消えるまで続けた。得られたヒドリド末端ポリマーを１５０℃で３時間真空ストリッピングして、揮発性化合物と溶媒を除去した。生成物は、低粘度の液体として得られた（ＧＰＣ：Ｍｎ＝３０６９ｇ／モル、ＰＤＩ−１．７；Ｖｉｓ：０．３３Ｐａ．Ｓ）。
【００７０】
例３：末端ビニル基を有するジフェニルスルホン官能化ポリオルガノシロキサン
【００７１】
ヒドリド末端ジフェニルスルホン官能化ポリオルガノシロキサン（７１．９ｇ）（例２で得られた）、トルエン（３０ｍＬ）、および白金触媒（５ｐｐｍの２％Ｐｔ）の反応混合物に、１，３−ジビニルテトラメチルジシロキサン（８．８８ｇ、０．０４８モル）を加え、そして１１０℃で還流した。すべてのヒドリドシグナルが１Ｈ−ＮＭＲから消えるまで反応を続けた。得られたポリマーを最終的に１５０℃で３時間真空ストリッピングして、揮発性化合物と溶媒を除去した。最終生成物は低粘度の液体として得られた（ＧＰＣ：Ｍｎ＝５０１４ｇ／モル、ＰＤＩ−１．９；Ｖｉｓ：０．５６Ｐａ．Ｓ）。
【００７２】
例４：末端エポキシエーテル基を有するジフェニルスルホン官能化ポリオルガノシロキサン
【００７３】
ヒドリド末端ジフェニルスルホン官能化ポリオルガノシロキサン（４３．１ｇ）（例２で得られた）、トルエン（２０ｍＬ）、および白金触媒（５ｐｐｍの２％Ｐｔ）の反応混合物に、アリルグリシジルエーテル（２．７２ｇ、０．０２４モル）を加え、そしてすべてのヒドリドがエポキシエーテルでキャップされるまで、７５℃で還流を続けた。反応混合物を９０℃で４時間真空ストリッピングすることにより、ポリマーを回収した。生成物は低粘度の液体として得られた（ＧＰＣ：Ｍｎ＝４０７３ｇ／モル、ＰＤＩ−１．６；Ｖｉｓ：０．４１Ｐａ．Ｓ）。
【００７４】
例５：末端エポキシ基を有するジフェニルスルホン官能化ポリオルガノシロキサン
【００７５】
ヒドリド末端ジフェニルスルホン官能化ポリオルガノシロキサン（１８５．５ｇ）（例２で得られた）、トルエン（８０ｍＬ）、および白金触媒（５ｐｐｍの２％Ｐｔ）の反応混合物に、１，２−エポキシ−４−ビニルシクロヘキセン（１２．７１ｇ、０．１０２モル）を加え、そしてすべてのヒドリドがビニルシクロヘキシルエポキシドでキャップされるまで、７５℃で還流を続けた。反応混合物を９０℃で４時間真空ストリッピングすることにより、ポリマーを回収した。生成物は低粘度の液体として得られた（ＧＰＣ：Ｍｎ＝３９９２ｇ／モル、ＰＤＩ−１．７；Ｖｉｓ：０．４７Ｐａ．Ｓ）。
【００７６】
例６：末端メタクリレート基を有するジフェニルスルホン官能化ポリオルガノシロキサン
【００７７】
ヒドリド末端ジフェニルスルホン官能化ポリオルガノシロキサン（８６．３ｇ）（例２で得られた）、トルエン（４０ｍＬ）、ヒドロキノンモノメチルエーテル（３００ｐｐｍ）および白金触媒（５ｐｐｍの２％Ｐｔ）の反応混合物に、アリルメタクリレート（６．０１ｇ、０．０４８モル）を加え、そしてすべてのヒドリドがメタクリレート官能基でキャップされるまで、７５℃で反応を続けた。反応混合物を１１０℃で５時間真空ストリッピングすることにより、ポリマーを回収した。生成物は低粘度の液体として得られた（ＧＰＣ：Ｍｎ＝５７５４ｇ／モル、ＰＤＩ−１．９；Ｖｉｓ：０．５３Ｐａ．Ｓ）。
【００７８】
例７：末端トリメトキシシリル基を有するジフェニルスルホン官能化ポリオルガノシロキサン
【００７９】
ヒドリド末端ジフェニルスルホン官能化ポリオルガノシロキサン（５０．３ｇ）（例３で得られた）、トルエン（２０ｍＬ）、および白金触媒（５ｐｐｍの２％Ｐｔ）の反応混合物に、ビニルトリメトキシシラン（４．９ｇ、０．０３３モル）を加え、そしてすべてのヒドリドがトリメトキシシランでキャップされるまで、１１０℃で反応を続けた。反応混合物を１５０℃で３時間真空ストリッピングすることにより、ポリマーを回収した。生成物は低粘度の液体として得られた（ＧＰＣ：Ｍｎ＝３４３１ｇ／モル、ＰＤＩ−１．９；Ｖｉｓ：０．４１Ｐａ．Ｓ）。
【００８０】
上記の説明は多くの詳細を含むが、これらの詳細は、本発明の範囲に対する制限として解釈されるべきではなく、単にその好ましい実施形態の例示として解釈されるべきである。当業者は、本明細書に添付された特許請求の範囲によって定義される本発明の範囲および精神の範囲内にある他の多くの可能な変形を想定することができる。
【国際調査報告】
2021518468.tif 000014
2021518468.tif 000015